(57)【特許請求の範囲】
【請求項１】
表側と裏側に対応する絵柄の印刷部を横方向一方側、中間、他方側の３個所に有する横印刷列を繰り返し印刷した連続紙から上記横印刷列ごとで６頁の冊子状製品を製作する冊子状製品の製作装置において、
上記連続紙の走行方向上流部に連続紙の横方向一方側の印刷部を横方向中間の印刷部から分離するスリット装置を、見開き６頁の冊子状製品を製作するときは分離し、巻折り６頁の冊子状製品を製作するときは分離しないように、選択的に使用可能に設け、
このスリット装置と下流側のプルローラとの間に、上記スリット装置にて分離された横方向一方側の印刷部を走行案内する分離走行路と、分離後の横方向他方側、中間の印刷部及びスリット装置で分離しない全幅状態の連続紙を走行案内する主走行路を設け、
上記分離走行路に、分離後の横方向一方側の印刷部を横方向中間の印刷部の上側へ移動するターンバー装置を設け、上記主走行路に、上記スリット装置で分離されないで走行される全幅状態の連続紙の横方向一方側の印刷部を横方向中間の印刷部側へ折り畳む第１プラウ装置を、見開き６頁の冊子状製品を製作するときは折り畳むことなく、巻折り６頁の冊子状製品を製作するときは折り畳むように、選択的に使用可能に設け、
上記プルローラの下流側に、横方向他方側の印刷部を横方向中間の印刷部側へ折り畳む第２プラウ装置と、各印刷部が重なった状態で各横印刷列ごとにカットするカット装置とを設けた
ことを特徴とする冊子状製品の製作装置。
【請求項２】
上記第２プラウ装置は、横方向他方側の印刷部を、横方向中間の印刷部の上側へ移動された分離後の前記一方側の印刷部側へ、もしくは横方向他方側の印刷部を、横方向の中間の印刷側へ折り畳まれた前記一方側の印刷部側へ折り畳むようにした請求項１記載の冊子状製品の製作装置。
【発明の詳細な説明】
【技術分野】
【０００１】
本発明は、見開き６頁、及び巻折り６頁の冊子状製品を選択的に、かつインラインにて製作できるようにした冊子状製品の製作装置に関するものである。
【背景技術】
【０００２】
従来は、新聞、チラシなど見開き頁を有する冊子状製品はフォーマあるいはプラウを用いて見開き状に折り畳み、ついで所定の天地方向長さに切断して見開き状の冊子状製品を製作するようにしている。
【０００３】
図１はフォーマを用いた装置であり、この従来の冊子状製品の製作装置にあっては、８頁の冊子状製品を製作するようになっていて、見開き幅の２枚の連続紙ａ，ｂを、これの一方の連続紙ａの幅方向中央に接着剤ｃを塗布した状態で重ね合わせて接着し、ついでこの２枚重ねの連続紙ａ，ｂをフォーマｄにて、上記接着部にて折り畳み、その後図示しない切断装置にて天地方向にカットするようにしている（特許文献１参照）。
【０００４】
図２はプラウを用いた装置であり、この従来の冊子状製品の製作装置にあっては、複数枚の連続紙ａ，ｂの一方の連続紙ｂの幅方向中央部に糊付け部ｅにて糊付けしてから集合部ｆにて重ね合わせて貼り合わせ、ついでこの相互に貼り合わせた複数枚の連続紙ａ，ｂを縦折り部ｇに設けたプラウｈにて幅方向中央部で２つ折りし、その後、カット部ｉにて天地方向に所定の大きさに順次カットするようにしている（特許文献２参照）。
【０００５】
【特許文献１】特開２００１−３１０８６２号公報
【特許文献２】特許第２９３２３３６号公報
【発明の開示】
【発明が解決しようとする課題】
【０００６】
上記した背景技術にあっては、見開き頁を単数枚あるいは複数枚の連続紙をフォーマあるいはプラウにて２つ折りすることにより作製するため、頁数が４頁あるいは８頁となってしまい、２つ折りの内側に見開きの１／２、すなわち表裏で２頁の１／２見開き片を挿入した６頁あるいは１０頁の冊子状製品を製作するには、フォーマあるいはプラウにて例えば４頁の見開き折りをしてから、オフラインにて見開きの間に上記２頁の１／２見開き片を機械あるいは手作業にて挿入しなければならないため、非常に効率が悪かった。
【０００７】
また、フォーマあるいはプラウで折るため、巻折り６頁には対応することができなかった。
【０００８】
本発明は上記のことに鑑みなされたもので、プラウ折りを主とする簡単な設備でもってインラインで見開き６頁の冊子状製品と巻折り６頁の冊子状製品を選択的に、かつインラインにて効率よく製作できる冊子状製品の製作装置を提供することを目的とするものである。
【課題を解決するための手段】
【０００９】
上記目的を達成するために、本発明の冊子状製品の製作装置は、表側と裏側に対応する絵柄の印刷部を横方向一方側、中間、他方側の３個所に有する横印刷列を繰り返し印刷した連続紙から上記横印刷列ごとで６頁の冊子状製品を製作する冊子状製品の製作装置において、
上記連続紙の走行方向上流部に連続紙の横方向一方側の印刷部を横方向中間の印刷部から分離するスリット装置を、見開き６頁の冊子状製品を製作するときは分離し、巻折り６頁の冊子状製品を製作するときは分離しないように、選択的に使用可能に設け、
このスリット装置と下流側のプルローラとの間に、上記スリット装置にて分離された横方向一方側の印刷部を走行案内する分離走行路と、分離後の横方向他方側、中間の印刷部及びスリット装置で分離しない全幅状態の連続紙を走行案内する主走行路を設け、
上記分離走行路に、分離後の横方向一方側の印刷部を横方向中間の印刷部の上側へ移動するターンバー装置を設け、上記主走行路に、上記スリット装置で分離されないで走行される全幅状態の連続紙の横方向一方側の印刷部を横方向中間の印刷部側へ折り畳む第１プラウ装置を、見開き６頁の冊子状製品を製作するときは折り畳むことなく、巻折り６頁の冊子状製品を製作するときは折り畳むように、選択的に使用可能に設け、
上記プルローラの下流側に、横方向他方側の印刷部を横方向中間の印刷部側へ折り畳む第２プラウ装置と、各印刷部が重なった状態で各横印刷列ごとにカットするカット装置とを設けた構成になっている。
本発明の冊子状製品の製作装置においては、上記第２プラウ装置は、横方向他方側の印刷部を、横方向中間の印刷部の上側へ移動された分離後の前記一方側の印刷部側へ、もしくは横方向他方側の印刷部を、横方向の中間の印刷側へ折り畳まれた前記一方側の印刷部側へ折り畳むようにすることができる。
【発明の効果】
【００１０】
上記構成における冊子状製品の製作装置にあっては、Ｖ字状に折り畳みされた横方向他方側の印刷部と横方向中間の印刷部との間に、分離された横方向一方側の印刷部がはさまれた冊子状製品、つまり見開き４頁の間に１／２見開き片を挿入した見開き６頁の冊子状製品と、横方向一方側の印刷部が横方向中間の印刷部に重ね合うように折り畳まれると共に、その横方向一方側の印刷部と横方向他方側の印刷部が重ね合うように折り畳まれた冊子状製品、つまり巻折り６頁の冊子状製品とをそれぞれ選択的に製作することができることにより、装置に汎用性を持たせることができる。そしてこの製作装置にあっては、プラウ装置によるプラウ折りを主とする簡単な設備とすることができる。
そしてこの製作装置により製作される各冊子状製品はインラインにて行われることにより効率よく製作することができる。
【発明を実施するための最良の形態】
【００１１】
図３は４頁の見開きと２頁の１／２見開き片からなる見開き６頁の冊子状製品の製作工程図、また図４は巻折り６頁の冊子状製品の製作工程図、図５は上記両冊子状製品を製作する製作装置を概略的に示した正面図である。
【００１２】
見開き６頁の場合を図３にて説明する。
【００１３】
連続紙１には、表側と裏側に対応する絵柄の印刷部を横方向（連続紙１の幅方向）３箇所に有する横印刷列がそれぞれの間に空白部５を設けて繰り返し印刷されている。そしてこの実施の形態では上記連続紙１の上記横印刷列の横方向の各絵柄のうち一方側が見開きの右側片２に、中間が見開きの左側片３に、横方向他方側が、左側片３から切り離されたペラ紙状の１／２見開き片４にそれぞれなるようにしている。そして各片２，３，４に示した数字の絵柄は各片からなる見開き６頁の各頁数を示しており、図において裏側は点線にて示した。
【００１４】
すなわち、右側片２は、これの表側が第２頁、裏側が１頁に、また左側片３は、これの表側が第５頁、裏側が第６頁に、さらに１／２見開き片４は、これの表側が第３頁、裏側が第４頁にそれぞれなるようにしている。
【００１５】
上記のように印刷された連続紙１は、これの走行途中で、スリット刃６にて１／２見開き片４が左側片３から切り離なされ、ついで、ターンバー装置にてこの１／２見開き片４を左側片３上に重ねる。その後、右側片２と左側片３の間でプラウにて谷折りして右側片２を左側片３側へ折り畳む。この状態で、左側片３上に１／２見開き片４を挟んだ状態で右側片２が重なり、これを上部空白部５をカット装置にてドブ切りカットすることにより、右側片２と左側片３の見開きの間に１／２見開き片４が挿入された見開き６頁の冊子状製品Ａが製作される。
【００１６】
次に巻折り６頁の場合を図４にて説明する。
【００１７】
連続紙１ａには、上記図３にて示した連続紙１と同様の横印刷列が印刷されていて、横方向一方側から第１折り片２ａと第２折り片３ａ及び第３折り片４ａとなっている。そして片２ａ，３ａ，４ａに示した数字は冊子状製品としたときの頁数を示すもので、第１折り片２ａは、これの表側が第２頁、裏側が第１頁に、また第２折り片３ａは、これの表側が第５頁、裏側が第６頁に、さらに第３折り片４ａは、これの表側が第４頁、裏側が第３頁にそれぞれなるようにしている。そしてこれらの頁は天地方向の間に空白５をあけて繰り返し印刷されている。
【００１８】
上記のように印刷された連続紙１ａは、これの走行途中で、第１プラウ装置にて第２折り片３ａと第３折り片４ａの間で谷折りされて第３折り片４ａが第２折り片３ａ側へ折り畳まれる。ついで第２プラウ装置にて第１折り片２ａと第２折り片３ａとの間で谷折りされて第１折り片２ａが第２折り片３ａ側へ折り畳まれ、この第２折り片３ａ上に折り畳まれている第３折り片４ａ上に重ねられる。その後、カット装置にて空白部５をドブ切りカットすることにより、巻折り６頁の冊子状製品Ｂが製作される。
【００１９】
次に上記両冊子状製品Ａ，Ｂを製作する装置を図５にて説明する。
【００２０】
連続紙１，１ａの走行方向上流部に見開き６頁の冊子状製品Ａ用の連続紙１の左側片３と１／２見開き片４とを切り離すスリット刃６を備えたスリット装置６ａが設けてある。なおこのスリット装置６ａのスリット刃６は着脱可能になっていて、巻折り６頁の冊子状製品Ｂ用の製作するときにはこれを外しておく。
【００２１】
上記スリット装置６ａの下流側は連続紙１，１ａを案内する主走行路７と、スリット刃６にて切り離された１／２見開き片４を案内する分離走行路８とに分離されており、この両走行路７，８はプルローラ９にて合流されている。
【００２２】
上記主走行路７には巻折り６頁の冊子状製品Ｂ用の連続紙１ａの第２折り片３ａと第３折り片４ａを谷折りする第１プラウ装置１０が着脱可能にして設けてある。また分離走行路８には１／２見開き片４を左側片３側へ移動してこれの上側に重ねるターンバー装置１１が設けてある。
【００２３】
そして上記プルローラ９より下流側に、両冊子状製品Ａ，Ｂの右側片２及び第１折り片２ａを谷折りにて左側片３及び第２折り片４ａ側へ折り畳む第２プラウ装置１２と、各冊子状製品Ａ，Ｂにカットするカット装置１３と、各冊子状製品Ａ，Ｂを集積するパイルスタッカ１４が設けられている。
【００２４】
上記構成において、この装置にて見開き６頁の冊子状製品Ａを製作する場合には、スリット装置６ａのスリット刃６を装着すると共に、第１プラウ装置１０を外しておく。
【００２５】
この状態で、見開き６頁の冊子状製品Ａ用の連続紙１を走行させると、スリット装置６ａにて１／２見開き片４が左側片３から切り離され、右側片２と左側片３はそのまま主走行路７を走行する。一方分離された１／２見開き片４は分離走行路を走行し、この間にターンバー装置１１にて左側片３側へ移動し、これの上側へ重ねられた状態でプルローラ９を通過する。
【００２６】
ついで第２プラウ装置１２にて右側片２が左側片３側へ折り畳まれ、この左側片３上に重ねられている１／２見開き片４上に重ねられる。その後カット装置１３にて空白部５がドブ切りカットされて見開き６頁の冊子状製品Ａが得られる。なお、この空白部５は必ずしも必要としない。
【００２７】
一方、上記装置にて巻折り６頁の冊子状製品Ｂを製作する場合には、スリット装置６ａのスリット刃６を外すと共に、第１プラウ装置１０を装着しておく。
【００２８】
この状態で、巻折り６頁の冊子状製品Ｂ用の連続紙１ａを主走行路７を走行させると、この連続紙１ａは第１プラウ装置１０にて第３折り片４ａが第２折り片３ａ側へ谷折りにより折り畳まれてプルローラ９に至り、ついで第２プラウ装置１２にて第１折り片２ａが第２折り片３ａ側へ谷折りにより折り畳まれ、この第２折り片３ａ上に折り畳まれている第３折り片４ａ上に重ねられる。その後カット装置１３にて空白部５がドブ切りカットされて巻折り６頁の冊子状製品Ｂが得られる。なお上記空白部５は必ずしも必要としない。
【図面の簡単な説明】
【００２９】
【図１】フォーマを用いた従来の冊子状製品の製作装置を示す斜視図である。
【図２】プラウを用いた従来の冊子状製品の製作装置を概略的に示す正面図である。
【図３】見開き６頁の冊子状製品の製作工程図である。
【図４】巻折り６頁の冊子状製品の製作工程図である。
【図５】本発明における冊子状製品の製作装置を概略的に示す正面図である。
【符号の説明】
【００３０】
１，１ａ…連続紙、２…右側片、２ａ…第１折り片、３…左側片、３ａ…第２折り片、４…１／２見開き片、４ａ…第３折り片、５…空白部、６…スリット刃、６ａ…スリット装置、７…主走行路、８…分離走行路、９…プルローラ、１０，１２…第１、第２プラウ装置、１１…ターンバー装置、１３…カット装置、１４…パイルスタッカ。
【図１】
0005100252.tif 000002
【図２】
0005100252.tif 000003
【図３】
0005100252.tif 000004
【図４】
0005100252.tif 000005
【図５】
0005100252.tif 000006